(57)【要約】  コヒーレント光線の干渉縞の動きをカーソルの動作にマップしてユーザインターフェイスの操作を行う方法、システム及び装置を提供する。コヒーレント光線を発する遠隔制御装置が、カーソルによって操作可能なユーザインターフェイスを表示するディスプレイ装置と協働的に構成される。遠隔制御装置の半導体レーザー要素及び結合されたディフューザ要素がコヒーレント光線を生成する。遠隔制御装置の動きが、コヒーレント光線の干渉縞がディスプレイ装置のセンサに衝突する動きを引き起こし、この干渉縞の動きがディスプレイ装置により検知されて、ユーザインターフェイス内のカーソルの対応する動きにマップされる。このようにして、遠隔制御装置を使用して、遠隔制御装置自体の動きにより画面上のユーザインターフェイスを操作することができる。【選択図】図１
2011529222.tif 000002
【特許請求の範囲】
【請求項１】
ディスプレイ装置が表示するユーザインターフェイス内のカーソルの動きを制御する方法であって、
遠隔制御装置のコヒーレント光線が前記ディスプレイ装置のセンサ要素に衝突することによって生じる干渉縞を検知するステップと、
前記ユーザインターフェイス内の前記カーソルの場所を既存の位置から動かすべきであることを示すのに十分な前記干渉縞の動きを検出するステップと、
前記干渉縞の十分な動きを検出したことに応答して、該検出した干渉縞の動きを前記ユーザインターフェイス内の前記カーソルの新たな位置にマップするステップと、
前記カーソルを前記ユーザインターフェイス内の前記既存の位置から前記新たな位置へ動かすステップと、
を含むことを特徴とする方法。
【請求項２】
前記干渉縞の動きを検出するステップが、前記ディスプレイ装置の前記センサ要素により行われる、
ことを特徴とする請求項１に記載の方法。
【請求項３】
前記干渉縞がスペックルパターンである、
ことを特徴とるす請求項１に記載の方法。
【請求項４】
前記干渉縞の前記動きが、前記遠隔制御装置の動きにより生じる、
ことを特徴とする請求項１に記載の方法。
【請求項５】
ディスプレイ装置を備え、該ディスプレイ装置が、操作可能なユーザインターフェイスを表示し、前記ディスプレイ装置のセンサ要素にコヒーレント光線が衝突することによって発生する干渉縞を検知し、前記ディスプレイ装置の前記センサ要素上の前記干渉縞の動きを検出し、前記ユーザインターフェイスが該ユーザインターフェイスのカーソルの動きによって操作可能であり、
前記ディスプレイ装置の前記センサ要素により検知された前記干渉縞と、前記ディスプレイ装置により検出された前記干渉縞の前記動きとを処理するように前記ディスプレイ装置に動作可能に結合された処理要素をさらに備え、
前記遠隔制御装置の動きが前記干渉縞の動きを引き起こし、これが前記ディスプレイ装置により検知され、前記処理要素によって前記ユーザインターフェイス内の前記カーソルの対応する動きにマップされる、
ことを特徴とするシステム。
【請求項６】
前記処理要素が、前記ディスプレイ装置により検知された前記干渉縞の動きを処理し、該干渉縞の動きを前記ユーザインターフェイス内の前記カーソルの対応する動きにマップする、
ことを特徴とする請求項５に記載のシステム。
【請求項７】
前記遠隔制御装置が、
コヒーレント光を発する半導体レーザー要素と、
前記コヒーレント光を受光するように結合され、前記遠隔制御装置が出力する前記コヒーレント光線を生成するディフューザ要素と、
をさらに備えることを特徴とする請求項５に記載のシステム。
【請求項８】
前記コヒーレント光線を発する遠隔制御装置をさらに備える、
ことを特徴とする請求項５に記載のシステム。
【請求項９】
コヒーレント光線を発する遠隔制御装置であって、
レーザー光を発する半導体レーザー要素と、
前記半導体レーザー要素からのレーザー光を受光するように結合され、前記遠隔制御装置が出力する前記コヒーレント光線を生成するディフューザ要素と、
を備え、前記遠隔制御装置の動きが前記コヒーレント光線の動きを引き起こす、
ことを特徴とする遠隔制御装置。
【請求項１０】
前記半導体レーザーが発する前記レーザー光が赤外領域の光である、
ことを特徴とする請求項９に記載の遠隔制御装置。
【請求項１１】
前記半導体レーザーが発する前記光が、パルス駆動されたコヒーレント光である、
こと特徴とする請求項１０に記載の遠隔制御装置。
【請求項１２】
前記半導体レーザーが発する前記レーザー光を受光して平行にし、前記レーザー光から形成された光ビームを生成するように結合された光学要素をさらに備え、前記ディフューザ要素が前記光学要素からの前記光ビームを受光する、
ことを特徴とする請求項９に記載の遠隔制御装置。
【請求項１３】
前記遠隔制御装置がいつ使用中であるかを検出するモーションセンサ要素をさらに備える、
ことを特徴とする請求項９に記載の遠隔制御装置。
【請求項１４】
前記モーションセンサ要素が、前記遠隔制御装置が使用中であることを検出すると、前記半導体レーザーがレーザー光を発する、
ことを特徴とする請求項１３に記載の遠隔制御装置。
【請求項１５】
前記遠隔制御装置のユーザが該遠隔制御装置のボタンを起動して前記半導体レーザー要素を起動させると、前記遠隔制御装置の前記半導体レーザーがレーザー光を発する、
ことを特徴とする請求項９に記載の遠隔制御装置。
【請求項１６】
前記遠隔制御装置がいつ使用中であるかを検出するモーションセンサ要素をさらに備える、
ことを特徴とする請求項９に記載の遠隔制御装置。
【請求項１７】
前記モーションセンサ要素が、前記遠隔制御装置が使用中であることを検出すると、前記半導体レーザーがレーザー光を発する、
ことを特徴とする請求項１６に記載の遠隔制御装置。
【請求項１８】
前記遠隔制御装置のユーザが該遠隔制御装置のボタンを起動して前記半導体レーザー要素を起動させると、前記遠隔制御装置のがコヒーレント光線を発する、
ことを特徴とする請求項９に記載の遠隔制御装置。
【請求項１９】
前記コヒーレント光線が反射媒体に衝突することによりランダムな干渉縞が発生する、
ことを特徴とする請求項９に記載の遠隔制御装置。
【請求項２０】
前記干渉縞がスペックルパターンである、
ことを特徴とする請求項１９に記載の遠隔制御装置。
【発明の詳細な説明】
【技術分野】
【０００１】
〔著作権表示〕
本特許文書の開示部分は、著作権保護の対象内容を含み得る。著作権の権利所有者は、合衆国特許商標庁の特許ファイル又は記録内に表されるとおりに特許文書又は特許開示を複製することには異議を唱えないが、それ以外は全ての著作権を留保する。
【背景技術】
【０００２】
様々な家庭用電子（ＣＥ）機器とともに利用できるアプリケーションがより豊富かつ複雑になるにつれ、このような機器のユーザと通信する、グラフィカルユーザインターフェイス（ＧＵＩ）を含むユーザインターフェイス（ＵＩ）などの手段も複雑になってきた。例えば、最近のテレビには、通常のテレビ機能に加えて写真又はＪＰＥＧ画像を表示するアプリケーションを有するものもある。通常は、テレビ画面上に写真のサムネイルを配列し、ユーザが遠隔制御装置（ＲＣ）を使用してこれらのうちの１つを選択し、これを全画面表示したり或いは修正したりできるようにする。この種のアプリケーションはＰＣではよく知られており、ユーザはマウスを操作してこれを容易に操作するが、同じ種類のアプリケーションを従来の赤外線リモートコマンダーを使用してＣＥ機器上で使用することは課題であり、にわかに容易なことではない。例えば、写真のサムネイルが４×５の行列で配列されている場合、強調表示部分をマトリクスの左下から対角部へ移動させるにはＲＣ上の方向ボタンを７回押す必要があり、使い勝手が良くない。パーソナルコンピュータの場合には、マウスを使用することにより同じ動作を一瞬で行うことができる。従って、ＣＥ機器のディスプレイ装置上に表示される、様々なアプリケーションのためのＵＩ又はＧＵＩの操作をサポートする必要がある。
【発明の概要】
【発明が解決しようとする課題】
【０００３】
ＣＥ機器とともに使用する遠隔制御装置は、ＧＵＩ操作をより容易にサポートするように適合されてきた。例えば、Ｗｉｉゲーム機の遠隔制御装置は、ナビゲーションボタンによってＧＵＩメニュー上の強調表示部分を単純に動かすというよりも、ユーザが遠隔制御装置自体を動かすことによって画面を指し示すことができる。しかしながら、これには動作検知装置及び／又はその他の高周波（ＲＦ）通信装置を動作させることが必要である。特にＲＦ装置は非常に高価であり、バッテリ消費量が大きいという問題もある。
【課題を解決するための手段】
【０００４】
新規と思われる本発明の特徴は、添付の特許請求の範囲に詳細に示す。しかしながら、以下の本発明のいくつかの例示的な実施形態を示す発明の詳細な説明を添付図面と併せて参照することにより、本発明の目的及び利点とともに本発明自体を構成及び動作方法の両方に関して最も良く理解することができる。
【図面の簡単な説明】
【０００５】
【図１】様々な実施形態によるシステムのブロック図である。
【図２】様々な実施形態による遠隔制御装置のブロック図である。
【図３】様々な実施形態による方法を示すフロー図である。
【図４】様々な実施形態による機能ブロック図である。
【発明を実施するための形態】
【０００６】
当業者であれば、図中の要素は説明を単純かつ明快にするために示したものであり、必ずしも縮尺通りに描いたものであるとは限らないことを理解するであろう。例えば、図中の一部の要素の寸法には、本発明の様々な実施形態をより良く理解できるように他の要素に対して誇張したものもある。
【０００７】
本発明は、多くの異なる形の実施形態が可能であるが、本開示は発明の原理の一例であると見なすべきであり、図示及び説明する特定の実施形態に本発明を限定することを意図するものではないという理解の下、図面には特定の実施形態を示し本明細書で詳細に説明する。以下の説明では、図面のいくつかの図において同じ参照番号を使用して同様の、類似の又は一致する部分について説明する。
【０００８】
本明細書では、第１の（ｆｉｒｓｔ）及び第２の（ｓｅｃｏｎｄ）、上部の（ｔｏｐ）及び下部の（ｂｏｔｔｏｍ）などの関係語は、ある実体又は動作を別の実体又は動作と区別するためだけに使用することができ、このような実体又は動作間にこのような実際の関係又は順序が存在することを必ずしも必要とし、又は暗示するものではない。「含む（ｃｏｍｐｒｉｓｅｓ）」、「含んでいる（ｃｏｍｐｒｉｓｉｎｇ）」という用語、又はこれらの用語の他のあらゆる変化形は、要素の列挙を含むプロセス、方法、物品、又は装置が、これらの要素しか含んでいないのではなく、明確に列挙されていない、又はこのようなプロセス、方法、物品、又は装置に固有のその他の要素を含むことができるように非排他的な包含を含むことが意図されている。「〜を含む（ｃｏｍｐｒｉｓｅｓ．．．ａ）」によって導かれる要素は、これ以上の制約が無い場合、その要素を含むプロセス、方法、物品、又は装置内にさらなる同一の要素が存在することを否定するものではない。
【０００９】
本明細書を通じて、「１つの実施形態」、「特定の実施形態」、「ある実施形態」、又は類似の用語についての言及は、実施形態に関連して説明する特定の特徴、構造又は特性が、本発明の少なくとも１つの実施形態に含まれることを意味する。従って、本明細書を通じて至るところに出現するこのような語句は、必ずしも全てが同じ実施形態について言及するものではない。さらに、上記の特定の特徴、構造又は特性を、本発明を限定することなく１又はそれ以上の実施形態にあらゆる好適な態様で組み込むことができる。
【００１０】
本明細書で使用する場合、「又は」という用語は包括的なものとして解釈すべきであり、すなわちいずれか１つ又はあらゆる組合せを意味する。従って、「Ａ、Ｂ又はＣ」は、「Ａ、Ｂ、Ｃ、ＡとＢ、ＡとＣ、ＢとＣ、ＡとＢとＣ、のいずれか」を意味する。この定義に対する例外は、要素、機能、ステップ又は行為の組合せが何らかの点で本質的に相互に相容れない場合にのみ生じる。
【００１１】
本発明の実施形態によれば、検知したコヒーレント光線の干渉縞の動きをカーソルの動きにマップしてユーザインターフェイスの操作を行う。コヒーレント光線を発する遠隔制御装置が、カーソルによって操作可能なユーザインターフェイスを表示するディスプレイ装置と協働的に構成される。遠隔制御装置の半導体レーザー要素及び結合されたディフューザ要素がコヒーレント光線を生成する。コヒーレント光線がセンサなどの反射面に衝突することにより、散乱又は「スペックルパターン」などの干渉縞が形成される。遠隔制御装置の動きが干渉縞の動きを引き起こし、これがディスプレイ装置によって検知され、ユーザインターフェイス内のカーソルの対応する動きにマップされる。このようにして、遠隔制御装置を使用して、遠隔制御装置自体の動きにより画面上のユーザインターフェイスを操作することができる。
【００１２】
ここで図１を参照すると、システムのブロック図１００を示している。このシステムは、遠隔制御装置１１０及びテレビなどのディスプレイ装置を有する。遠隔制御装置１１０は、リモコン又はリモートコマンダーなどの、コヒーレント光線を発する遠隔制御装置である。ディスプレイ装置上にはグラフィカルユーザインターフェイス（ＧＵＩ）などのユーザインターフェイス（ＵＩ）１３０が表示され、ＵＩのユーザがＵＩ内に表示された選択肢を操作できるようにするグラフィカルツールを意味するカーソル１３５を使用してこのＵＩを操作することができ、カーソルを所望の選択肢に重ねて置くことにより、この選択肢に対応する動作又は情報を選択することができる。カーソルは、例えばワープロアプリケーションで使用するようなポインタカーソルタイプのものであってもよく、又はＧＵＩが強調表示されたメニュー又は見出しを有している場合、このカーソルは動く強調表示部分であってもよい。ディスプレイ装置は、コヒーレント光線の干渉縞などのコヒーレント光情報を検出するのに適した画像又は撮像センサ要素１２５をさらに有する。
【００１３】
ディスプレイ装置１２０は、操作可能なグラフィカルユーザインターフェイス１３０を表示し、遠隔制御装置により生成されたコヒーレント光線がディスプレイ装置のセンサ要素などのセンサに反射すること又は衝突することによって生じる干渉縞１１５を検知し、この干渉縞の動きを検出する。上述したように、ＵＩ１３０は、ＵＩのカーソル１３５の動きによって操作可能である。遠隔制御装置１１０の動きが干渉縞の動きをさらに引き起こし、これがディスプレイ装置の画像センサ１２５により検知され、干渉縞１１５の動きがグラフィカルユーザインターフェイス１３０内の対応するカーソル１３５の動きにマップされる。
【００１４】
後述するように、ある実施形態によれば、遠隔制御装置１１０は半導体レーザー技術を有しており、これをディフューザ及び１又はそれ以上のレンズなどのその他の光学系と組み合わせて、ディスプレイ装置１２０の画像センサにより検出されるコヒーレント光線を生成することができる。コヒーレント光線が反射面に反射又は衝突することにより生じる干渉縞を「スペックルパターン」と呼ぶことができ、これはコヒーレントＬＤ光の干渉により生成されるランダムパターンのことである。
【００１５】
干渉縞の検出又は検知に関して、ディスプレイ装置１２０は撮像センサ１２５を有する。ユーザが遠隔制御装置１１０をテレビに向けると、コヒーレント光線の反射により生成された干渉縞のスペックルパターンの一部が撮像センサ１２５により検出される。ユーザが遠隔制御装置を（ＵＩ内のカーソルの動きを生じるように）動かすと、撮像センサ上のスペックルパターンも動く。従って、ディスプレイ装置は、画像センサ１２５に加え、干渉縞の動きを検知及び捕捉するモーションセンサ要素をさらに有する。なお、図面には、ディスプレイ装置の撮像センサ要素及びモーションセンサ要素を画像センサ１２５で示している。さらに、モーションセンサ要素と協働的に構成されるテレビの処理要素が、モーションセンサ要素が捕捉した干渉縞の動きを処理し、この干渉縞の動きをグラフィカルユーザインターフェイス内のカーソルの対応する動きにマップする。
【００１６】
図４の機能ブロック図４００を参照すると、処理要素４５０の、ディスプレイ装置の入／出力要素４１０から受信した情報を受け取って処理するための機能を示しており、この処理要素は、遠隔制御装置から放たれたコヒーレント光線が遠隔制御装置のセンサと衝突することにより発生した干渉縞を受け取って、ディスプレイ装置が検出した干渉縞の動きを検知するようにディスプレイ装置に動作可能に結合される。遠隔制御装置の動きが干渉縞の動きを引き起こし、これがディスプレイ装置により検知され、処理要素によって干渉縞の動きがユーザインターフェイス内のカーソルの対応する動きにマップされる。ディスプレイ装置の画像センサ／モーションセンサ要素４３０において受け取られた干渉縞が画像処理ブロック４７０に提供され、この画像処理ブロック４７０が、処理した画像情報を（ここでは中央演算処理ユニットすなわちＣＰＵとして示す）プロセッサに提供する。ブロック４６０において、ＣＰＵ４８０がＵＩ又はＧＵＩの生成及び変化を制御し、干渉縞の動きとカーソルの動きとの間のマッピングがＣＰＵ４８０及びＧＵＩ生成部４６０において行われる。ＵＩ又はＧＵＩは、ディスプレイ装置４１０のディスプレイ要素４２０へ送られてユーザに表示される。
【００１７】
また、処理要素４５０の機能をディスプレイ装置の内部で実行されるものとして説明しているが、プロセッサ４５０の機能の１又はそれ以上を、実際にはディスプレイ装置とともに存在しない装置、ハードウェア、又はソフトウェアの形で実現できることを理解されたい。このことを、ディスプレイ装置の入／出力機能４２０／４３０の機能と、プロセッサ要素４５０により実現される処理機能４６０、４７０、４８０との間の点線で示している。また、図示のように、画像センサ機能及びモーションセンサ機能を、画像センサ／モーションセンサ要素４３０という（同一の場所に位置する）１つの要素として統合することができ、或いはこれらを協働的に結合された分離要素とすることもできる。
【００１８】
ディスプレイ装置のプロセッサは、パターンの動きを処理することにより、遠隔制御装置の動きの方向を判断することができる。この情報が、ＴＶディスプレイ装置の内部でＵＩ内のカーソルの対応する動きにマップされる。例えば、ＧＵＩが（例えば、ワードプロアプリケーションに含まれるような）ポインタカーソルを有していれば、このポインタカーソルが、遠隔制御装置が動く方向と同じ方向に動くようになる。或いは、ＧＵＩが強調表示されたメニュー又は見出しを有していれば、強調表示されたカーソルが、遠隔制御装置の動きに反応して動くようになる。このようにして、ユーザは、カーソルを所望の位置へ動かすのに必要な方向に遠隔制御装置を単純に動かしてカーソルの動きを所望の場所へ制御することにより、ＵＩの操作を行うことができる。所望の場所に制御したら、ユーザは、「選択」ボタンを選択することなどの遠隔制御装置の選択機構を使用して、ユーザに提示されたカーソル位置に関連する情報又は選択肢を選択することができる。従って、（例えば、チャンネル選択ガイドのような）ユーザインターフェイスグリッド内でカーソルを２行上及び１列右に動かしたいユーザは、遠隔制御装置を上へ動かした後に右へ、又は北東の方向に動かすことによりこれを遂行することができる。干渉縞の動きをユーザインターフェイス内のカーソルの動きにマップすることにより、ユーザがＵＩとのやりとりを容易かつ直感的に制御できるようになる。さらに、遠隔制御装置は単純な光源であるため、これを、ＲＦ通信又は動き検知技術を必要とせず、従ってコスト及び遠隔制御装置のバッテリ消費を大幅に削減するような方法で達成することができる。
【００１９】
ここで図２を参照すると、遠隔制御装置２００のブロック図を示している。上述したように、この遠隔制御装置により、ユーザが遠隔制御装置自体を動かすことによって画面上のＵＩを操作できるようになる。遠隔制御装置は、ディフューザを備えた（単複の）半導体レーザーを有する。遠隔制御装置から放たれた光は、反射面から反射されると顆粒状の干渉縞、いわゆるスペックルパターンを生成し、テレビのようなホスト家庭用電子（ＣＥ）機器などのディスプレイ装置上に実装できる撮像センサを照明する。ユーザがＲＣを動かすと、撮像センサにより検出されるスペックルパターンも動く。画像の動きを処理することにより、ＲＣの動きがディスプレイ装置により捕捉され、制御すべきＧＵＩと連動される。このようにして、モーションセンサ又はＲＦ通信を必要とせずにポインタ式遠隔制御装置が実現される。従って、バッテリ寿命の長い低コストな遠隔制御装置が実現される。
【００２０】
ある実施形態によれば、遠隔制御装置が、半導体レーザー２１０と、任意に１又はそれ以上のレンズ（２２０）と、ディフューザ２３０とを有し、図示のようにこれらの要素によって遠隔制御装置がコヒーレント光線１１５を生成するようになる。半導体レーザー２１０により、コヒーレント光線１１５が散乱したときに干渉縞と呼ばれるスペックルパターンの照明が生成され、これがディスプレイ装置の画像センサ１２５により検出される。ディスプレイ装置は、検出したスペックルパターンの動きを処理することによって遠隔制御装置の動きを判断することができ、これがマッピングによって画面上のＵＩ上のポインタ又はカーソルの動きと連動される。
【００２１】
半導体レーザー要素２１０は、コヒーレント光、すなわち同相の光を発し、ディフューザ要素２３０と協働的な構成で結合され、このディフューザ要素２３０が半導体レーザーのコヒーレント光を受光して、遠隔制御装置２００が出力するコヒーレント光線１１５を生成する。半導体レーザー要素２１０が発する光は、眼の安全性を考慮して赤外領域の光とすることができ、また半導体レーザーがパルス動作で駆動されることにより生成されるパルス駆動されたコヒーレント光が、ＬＤ光に対する眼の安全性をより高める。
【００２２】
図示のように、ＬＤ要素２１０及びディフューザ要素２３０を、（単複の）レンズ２２０などの光学要素とともに実装することができる。ＬＤから放たれた光は、まずこれらのレンズ２２０によって平行にされた後にディフューザ要素２３０を通過し、従って１又はそれ以上の光学要素が、ＬＤが発したコヒーレント光を受光して平行にするように結合されて、コヒーレント光から形成された光ビームを生成する。これにより、画像センサ１２５上などの照明領域上でいわゆる「スペックルパターン」が発生できるようになる。スペックルパターンとは、コヒーレントＬＤ光の干渉により発生するランダムパターンのことである。任意の光学系を配置して、ある所望の角度に発散したビームを形成することもできる。
【００２３】
遠隔制御装置２００がコヒーレント光線を発することをどのようにして決定するかについては、複数の方法で対処することができる。遠隔制御装置２００は、遠隔制御装置がいつ使用中であるかを検出するモーションセンサ要素をさらに有する。従って、遠隔制御装置は遠隔制御装置自体が動いているとき、すなわちユーザが遠隔制御装置を持ち上げ又は使用しているときにしかコヒーレント光線１１５を生成しない。この結果、半導体レーザー要素がコヒーレント光を発するようになる。このモーション検出器は、複数軸のモーション検出を必要としなくてよいので比較的低技術のものであってもよい。或いは、遠隔制御装置のユーザがボタンを起動することによって半導体レーザー要素がコヒーレント光を発するようにしてもよく、例えばユーザは、「カーソル制御」などのラベルの付いた遠隔制御装置上のボタンを押すことができる。
【００２４】
ここで図３を参照すると、ある実施形態による、遠隔制御装置の動きをディスプレイ装置が表示するＵＩ内のカーソルの動きと連動させるための方法をフロー図３００によって示している。ブロック３１０において、遠隔制御装置のコヒーレント光線の散乱又は衝突によって生じた干渉縞がディスプレイ装置のセンサ要素により検知される。ブロック３２０において、ユーザインターフェイス内のカーソルの場所を既存の位置から動かすべきであることを示すのに十分な干渉縞の動きが検知される。説明したように、干渉縞の動きは、遠隔制御装置自体の動きにより生じ、ディスプレイ装置のモーションセンサ要素により検知される。干渉縞の変化を検出したことに応答して、検出した干渉縞の変化がユーザインターフェイス内の新たなカーソルの位置にマップされる。これは、ブロック３３０において、ＵＩ内のカーソルの動作を制御するディスプレイ装置の処理要素により遂行される。ブロック３４０において、カーソルがユーザインターフェイス内の既存の位置から新たな位置へ動かされる。
【００２５】
当然ながら、本明細書で説明した本発明の実施形態を、１又はそれ以上の従来型のプロセッサ、及びこれらの１又はそれ以上のプロセッサを、本明細書で説明した機能のいくつか、ほとんど、又は全てを特定の非プロセッサ回路とともに実現するように制御する固有の記憶されたプログラム命令で構成することもできる。非プロセッサ回路は、以下に限定されるわけではないが、受信機、無線機、信号ドライバ、クロック回路、電源回路、及びユーザ入力装置を含むことができる。従って、これらの機能は、本発明に従ういくつかの実施形態による機能を実行するための方法であると解釈することができる。或いは、一部又は全ての機能をプログラム命令を記憶していない状態機械により実現し、又は１又はそれ以上の特定用途向け集積回路（ＡＳＩＣ）の形で実装し、この中で個々の機能又は特定の機能のいくつかの組合せをカスタム論理として実現することができる。当然ながら、これらの２つの方法の組合せを使用することもできる。従って、本明細書ではこれらの機能のための方法及び手段について説明した。さらに、当業者であれば、例えば、使用可能時間、現行技術、及び経済上の考慮事項を動機として行われたと思われる多大な労力と多くの設計選択にもかかわらず、本明細書で開示した概念及び原理に導かれたときに、このようなソフトウェア命令及びプログラム並びにＩＣを最小限の実験で容易に生成できることが予想される。
【００２６】
上述の明細書では、本発明の特定の実施形態について説明した。しかしながら、当業者であれば、特許請求の範囲に示す本発明の範囲から逸脱することなく様々な修正及び変更を行うことができると理解するであろう。従って、明細書及び図については、限定的な意味でなく例示的な意味で受け止めるべきであり、全てのこのような修正が本発明の範囲に含まれることが意図されている。利点、長所、問題の解決法、及びあらゆる利点、長所、問題の解決法を生じる又はより明確にするあらゆる（単複の）要素が、一部の又は全ての請求項の重要な、必要な、又は不可欠な特徴又は要素であると解釈すべきではない。本発明は、本出願の係属中に行われるあらゆる補正及び特許されるこれらの請求項の全ての同等物を含む添付の特許請求の範囲によってのみ定義される。
【符号の説明】
【００２７】
１００  システムのブロック図
１１０  遠隔制御装置
１１５  コヒーレント光線
１２０  テレビ又はその他のディスプレイ装置
１２５  画像センサ
１３０  ユーザインターフェイス
１３５  カーソル
【図１】
2011529222.tif 000003
【図２】
2011529222.tif 000004
【図３】
2011529222.tif 000005
【図４】
2011529222.tif 000006
【国際調査報告】
2011529222.tif 000007
2011529222.tif 000008
2011529222.tif 000009